(57)【要約】【課題】ＬＡＮ／ＷＡＮのようなネットワークでVoIPを導入している企業内交換システムで構内交換装置間を固定接続する擬似専用線の形成を可能とする。【解決手段】ＬＡＮ３０に接続し擬似専用線として構築する外線２２、例えば番号５，３の回線に同一識別子（例えばＩＤ２）を予め付与し、発呼側ＰＡＢＸ１０ではその発呼情報に発信する番号５の回線のＩＤ２を含めて着呼側ＰＡＢＸ１０Ｔに発呼し、着呼側では受けた発呼情報から回線のＩＤ２を取得し、取得したＩＤ２を付与された番号3の回線を選択して通信に使用している。このような構成により、二つのＰＡＢＸ１０，１０Ｔ間では同一ＩＤ２により設定される回線番号５，３の回線を擬似専用線として常に固定して利用することができる。【選択図】図１
2006345226.tif 000002
【特許請求の範囲】
【請求項１】
ネットワークを介して相互接続する複数の構内交換装置での回線選択方法において、構内交換装置間で前記ネットワークに接続される回線に擬似専用線として同一識別子を予め付与し、発呼側構内交換装置からその識別子を送信した際、着呼側構内交換装置では受けた識別子が付与された回線を選択して通信に供することを特徴とする構内交換装置の回線選択方法。
【請求項２】
請求項１に記載の構内交換装置の回線選択方法において、発呼側構内交換装置では、前記着呼側構内交換装置へ送信すると同一識別子の付与された回線を用いて通信することを特徴とする構内交換装置の回線選択方法。
【請求項３】
請求項１に記載の構内交換装置の回線選択方法において、擬似専用線とする複数の前記回線は少なくとも一つの回線群を成し、一つの回線群を構成する回線それぞれには同一識別子が付与されることを特徴とする構内交換装置の回線選択方法。
【請求項４】
請求項３に記載の構内交換装置の回線選択方法において、同一識別子を付与された複数回線には発信及び着信それぞれの優先順位が付与されることを特徴とする構内交換装置の回線選択方法。
【請求項５】
請求項１から４までの一つに記載の構内交換装置の回線選択方法において、前記ネットワークはＩＰ（Internet Protocol）ネットワークであり、VoIP（Voice Over Internet Protocol）を導入してVoIP回線ごとに付与された前記識別子を、ＩＴＵで制定されているH.323プロトコルにより構内交換装置間で通知することを特徴とする構内交換装置の回線選択方法。
【請求項６】
請求項１から４までの一つに記載の構内交換装置の回線選択方法において、ネットワークに接続する前記回線が有線／無線の通信チャネルであることを特徴とする構内交換装置の回線選択方法。
【請求項７】
外線からネットワークを介して相手構内交換装置と接続する構内交換装置の回線選択方式において、構内交換装置は、前記相手構内交換装置と専用線と同等の擬似専用線を形成する外線に擬似専用線ごとの固有識別子を予め付与して記憶する外線情報テーブルと、前記相手構内交換装置へ発呼の際には前記外線情報テーブルから前記相手構内交換装置への擬似専用線に対応する前記識別子を取得し、当該識別子を含む発呼情報を形成して前記外線から前記ネットワークへ発信し、着呼を受けた際には受けた前記発呼情報から前記識別子を取得し当該識別子の付与された外線を選択して通信回線を形成する制御手段とを備えることを特徴とする構内交換装置の回線選択方式。
【請求項８】
請求項７に記載の構内交換装置の回線選択方式において、前記構内交換装置は発呼の際に、前記外線情報テーブルから取得した識別子と同一識別子の付与された外線を通信のため選択することを特徴とする構内交換装置の回線選択方式。
【請求項９】
請求項７に記載の構内交換装置の回線選択方式において、前記外線情報テーブルは、前記相手構内交換装置との間で擬似専用線に設定される複数の外線を少なくとも一つの回線群に形成し、一つの回線群を構成する回線それぞれには同一識別子が付与されていることを特徴とする構内交換装置の回線選択方式。
【請求項１０】
請求項９に記載の構内交換装置の回線選択方式において、前記外線情報テーブルは、同一識別子が付与された複数の外線には発信及び着信それぞれの優先順位が付与されることを特徴とする構内交換装置の回線選択方式。
【請求項１１】
請求項７から１０までの一つに記載の構内交換装置の回線選択方式において、前記ネットワークはＩＰ（Internet Protocol）ネットワークであり、構内交換装置は、VoIP（Voice Over Internet Protocol）を導入してVoIP回線ごとに付与された前記識別子を、相手構内交換装置にＩＴＵで制定されているH.323プロトコルにより相手構内交換装置に通知することを特徴とする構内交換装置の回線選択方式。
【請求項１２】
請求項７から１０までの一つに記載の構内交換装置の回線選択方式において、ネットワークと接続する前記外線は、有線／無線の通信チャネルであることを特徴とする構内交換装置の回線選択方式。
【発明の詳細な説明】
【技術分野】
【０００１】
本発明は、ＬＡＮ（Local Area Network）、ＷＡＮ（Wide Area Network）、またはインターネットに接続する複数の構内交換装置、例えばＰＡＢＸ（構内自動交換機）およびボタン電話装置で形成する企業内通信システムで、専用線の構築が容易な構内交換装置の回線選択方法及びその方式に関するものである。また、本発明は、企業内通信システムと限定されずグループ内通信システムとして、ネットワークと接続して一つの交換システムを構成する場合の交換装置における専用線の構築に適用可能である。
【背景技術】
【０００２】
近年、ＬＡＮまたはＷＡＮなどのネットワークでVoIP（Voice Over Internet Protocol）を導入して複数の構内交換装置を接続する企業内交換システムが実用に供されている。
【０００３】
例えば図７には、複数の内線端末２１を収容接続するＰＡＢＸ１１０Aが回線番号５，６を有する外線２２によりＬＡＮ３０に接続されているブロック構成が示されている。更に、ＬＡＮ３０には、ＰＡＢＸ１１０Ｂ，１１０Ｃがそれぞれ回線番号１，２及び回線番号３，４を有する外線を介して接続されている。回線番号１〜６それぞれにはＬＡＮ３０におけるＩＰアドレスが付与されている。
【０００４】
従って、ＰＡＢＸ１１０Ａが回線番号５を用いてＰＡＢＸ１１０Ｂの回線番号１のＩＰアドレスで発呼した場合、ＰＡＢＸ１１０Ｂでは、回線番号５のＩＰアドレスを送信者アドレスとして回線番号１のＩＰアドレスを宛先アドレスとした発呼を受ける。
【０００５】
この図のような構成では、ＰＡＢＸ１１０Ａの２回線とＰＡＢＸ１１０Ｂの２回線とで通信すると、ＰＡＢＸ１１０ＣはＰＡＢＸ１１０Ａ，Ｂの何れにも外線接続することができない。このような状態を避け、少なくとも１回線をＰＡＢＸ１１０Ａ〜Ｃそれぞれの間で確保することが望まれる。すなわち、企業内ＬＡＮで複数ＰＡＢＸを備える場合、ＰＡＢＸ間での専用線のような、ある特定の2地点間を結ぶ通信専用の固定接続回線の必要性が発生している。しかし、このような方式の先行技術は見当たらない。
【発明の開示】
【発明が解決しようとする課題】
【０００６】
解決しようとする課題は、ＬＡＮ／ＷＡＮのようなネットワークでVoIPを導入している企業内交換システムでは、複数構内交換装置のうち特定の構内交換装置にネットワークでの回線が占有される状態があり、外線接続ができない構内交換装置が生じることである。すなわち、それは、複数の構内交換装置間それぞれを固定接続する専用線が構成できていないためである。
【課題を解決するための手段】
【０００７】
本発明は、ネットワークで通信回線を形成する際に外線を回線選択する構内交換装置間それぞれで擬似専用線を構築するため、ネットワークで擬似専用線として構築する回線それぞれに同一識別子（ＩＤ）を予め付与し、発呼側ではその発呼情報に発呼回線の識別子を含めその識別子の付与された回線を送信側回線として着呼側に発呼し、着呼側では受けた発呼情報から回線の識別子を取得し、取得した識別子の付与された回線を通信のために選択して使用することを主要な特徴とする。このような構成により、ある二つの構内交換装置間では同一識別子により設定される回線を擬似専用線として常に固定利用することができる。
【０００８】
この構成において、発呼側で該当識別子の付与された回線が使用不可能のために別回線を用いて発信しても、着呼側での回線選択は機能するので、一方通行ではあるが、実質的な擬似専用線を構築可能である。
【０００９】
また、複数回線は同一識別子を付与された回線群を構築することができる。また、同一識別子を付与された複数回線は発信及び着信の優先順位を付与することができる。
【発明の効果】
【００１０】
本発明の構内交換装置の回線選択方法は、ある二つの構内交換装置間でネットワークに接続される特定回線それぞれに同一識別子を付与し、発呼側からその識別子を送信することにより、着呼側では受けた識別子を有する回線を通信のために選択して提供するため、同一識別子に基づき常に同一の回線を介して通信できるので、その発着信での対の回線を擬似専用線として構築できるという利点がある。
【００１１】
その回線は通信チャネルにより形成できるので、ネットワークはＬＡＮ、ＷＡＮ、またはインターネットに限らず、ＩＳＤＮにも適用できる。ＩＳＤＮでは多チャンネルを有する１次群インターフェースへの適用に特に有効である。
【００１２】
同一識別子を付与された複数の回線において優先順位を付与する場合、発信優先と着信優先とを逆の順序とすることにより、同一識別子による擬似専用線に対する回線選択の衝突を低減することができる。
【発明を実施するための最良の形態】
【００１３】
構内交換装置間でＬＡＮのようなネットワークを介して接続される回線を擬似専用線に構築するという目的を、ある二つの構内交換装置間でネットワークに接続される回線それぞれに同一識別子を予め付与して一つの擬似専用線を形成し、発呼側からその識別子を送信した際、着呼側では受けた識別子を有する回線をその通信のために選択して供することにより、実現した。
【００１４】
以下に、複数の実施例について図面を参照して説明する。なお、図面では本発明に係る部分のみを示しており、装置の必須機能であっても省略されているものがある。すなわち、説明される構成は実施の一形態であり、同一機能を有するならば、他の構成であってもよい。
【実施例１】
【００１５】
本発明の構内交換装置をＰＡＢＸとして実施例１により図１を参照して説明する。
【００１６】
図１は、本発明による構内交換装置とその周辺とを実施の一形態としてブロックで示した説明図であり、構内交換装置としてＰＡＢＸ１０，１０Ｔが示され、ネットワークはＬＡＮ３０であるとする。また、ＰＡＢＸ１０，１０Ｔは、ＬＡＮ３０を介してVoIPにより電話装置を接続しかつ音声情報の送受信を実行するものであり、その基本プロトコルはＩＴＵにより制定されたＨ.323プロトコルであるとする。
【００１７】
図示されるＰＡＢＸ１０は、一方に複数の内線端末２１を、他方にＬＡＮ３０と接続する回線番号５，６それぞれを有する二つのＬＡＮ回線を外線２２として収容しており、内線ポート１１、外線ポート１２、ＳＷ（スイッチ）１３、ＣＰＵ（制御手段）１４、及び外線情報テーブル１５を含んでいる。他方の、ＰＡＢＸ１０Ｔも同様の構成であり、その外線には、回線番号３，４のＬＡＮ回線がＬＡＮ３０と接続している。
【００１８】
内線ポート１１は、内線端末２１を各ポートに接続し内線端末の状態をＣＰＵ１４に通知すると共に内線端末２１とＣＰＵ１４との間の情報授受を行い、通信中の通信回線はＳＷ１３に接続される。外線ポート１２は、ＬＡＮ３０における回線番号５，６の回線を外線２２として収容し、ＬＡＮ３０とＣＰＵ１４との間の情報授受を行い、通信中の通信回線はＳＷ１３に接続される。ＳＷ１３は、ＣＰＵ１４の制御を受け、内線・外線の相互間を通信路で連結する。
【００１９】
ＣＰＵ１４は、ＰＡＢＸ１０内の各構成要素と接続し、プログラム制御により機能を実行する。通信にはVoIPが導入され、Ｈ.323プロトコルにより実行される。
【００２０】
外線情報テーブル１５は、外線情報を予め記憶しており、図では、外線２２のポート番号１，２の部分のみを示している。外線２２のポート番号１に、ＬＡＮ３０の回線番号５および識別子（以後、ＩＤと略称する）２が予め設定されており、同一ＩＤで一つの回線のみを形成するので、優先選択のための発信順位及び着信順位は共に「１」である。同様に、外線２２のポート番号２に、ＬＡＮ３０の回線番号６およびＩＤ３が予め設定されており、同一ＩＤで一つの回線のみを形成するので、優先選択のための発信順位及び着信順位は共に「１」である。また、ＬＡＮ３０に接続しＩＤによって擬似専用線を構成する回線番号５，６それぞれには、擬似専用線の接続先となる宛先ＩＰアドレスが外線情報テーブル１５に予め設定されている。
【００２１】
また、ＩＰアドレスは、ＰＡＢＸをゲートウェイとして内線端末に付与されると共にＰＡＢＸ自身も有することができる。本実施例では、図示されるように、この擬似専用線の接続先ＰＡＢＸ１０Ｔが一つのＩＰアドレスを有しているものとする。また、このアドレスはＬＡＮ３０の回線番号に対応して付与されてもよい。例えば、図示される回線番号１〜６それぞれに異なるアドレスが付与されるということである。
【００２２】
この構成で、例えば、回線番号５のＬＡＮ回線と回線番号３のＬＡＮ回線とをＩＤ２に設定してＩＤ２専用線を形成する場合、ＰＡＢＸ１０Ｔの外線情報テーブルで回線番号３に対応させてＩＤ２を予め設定登録すればよい。この結果、ＰＡＢＸ１０から回線番号５のＬＡＮ回線を用いて発呼し、ＩＤ２をＰＡＢＸ１０Ｔへ送信すれば、ＰＡＢＸ１０Ｔでは受けたＩＤ２により回線番号３のＬＡＮ回線を通信のために選択するので、回線番号５の回線からの発信は常に回線番号３の回線に着信できる。発着信が逆の場合も同様である。
【００２３】
図では、ＰＡＢＸ１０が外線ポート１２に外線２２として擬似専用線を構築する回線番号５，６を有するＬＡＮ回線のみが示されており、宛先はＩＰアドレスであるが、ダイヤル番号の宛先アドレスに対して発呼可能なＰＳＴＮ（公衆電話交換網）と接続する通信回線が外線ポート１２に外線として収容されてよい。
【実施例２】
【００２４】
本発明における構内交換装置間の専用線形成について、実施例２により図２を参照して説明する。
【００２５】
図２は、上記図１におけるＬＡＮ３０に接続する二つのＰＡＢＸ１０Ａ，１０Ｂ間における専用線構成の一形態を示す。
【００２６】
図示されるＰＡＢＸ１０Ａ，１０Ｂは上記実施例として説明したＰＡＢＸ１０と基本的に同一である。図示される外線情報テーブルには、宛先ＩＰアドレスは省略されているが、専用線の形成される接続先ＰＡＢＸのＩＰアドレスが予め設定されているものとする。
【００２７】
ＰＡＢＸ１０Ａの外線情報テーブル１５Ａは外線のポート番号１，２の部分のみを示している。外線のポート番号１に、ＬＡＮ３０の回線番号５およびＩＤ２がＩＤ２専用線として予め設定されている。従って、同一ＩＤで一つの回線のみを形成するので、優先選択のための発信順位及び着信順位は共に「１」である。同様に、外線のポート番号２に、ＬＡＮ３０の回線番号６およびＩＤ３がＩＤ３専用線として予め設定されており、同一ＩＤで一つの回線のみを形成するので、優先選択のための発信順位及び着信順位は共に「１」である。
【００２８】
ＰＡＢＸ１０Ｂの外線情報テーブル１５Ｂは外線のポート番号１，２部分のみを示している。外線のポート番号１に、ＬＡＮ３０の回線番号３およびＩＤ２がＩＤ２専用線として予め設定されており、同一ＩＤで一つの回線のみを形成するので、優先選択のための発信順位及び着信順位は共に「１」である。同様に、外線のポート番号２に、ＬＡＮ３０の回線番号４およびＩＤ３がＩＤ３専用線として予め設定されており、同一ＩＤで一つの回線のみを形成するので、優先選択のための発信順位及び着信順位は共に「１」である。
【００２９】
この構成で、例えばＩＤ２専用線を形成する場合、ＰＡＢＸ１０Ａは、発呼の際に外線情報テーブル１５ＡのＩＤ２から回線番号５を選択し、回線番号５のＬＡＮ回線を用いて、ＬＡＮ３０にＰＡＢＸ１０Ｂの宛先ＩＰアドレスとＩＤ２とを含む発呼情報を送信する。ＬＡＮ３０では、回線番号５により検索される宛先ＩＰアドレスに基づいてＰＡＢＸ１０Ｂに発呼情報を送る。従って、ＰＡＢＸ１０Ｂは、発呼情報からＩＤ２を取得するので、外線情報テーブル１５ＢのＩＤ２から回線番号３を取り出し、回線番号３のＬＡＮ回線を選択して着信させる。このように、ＩＤ番号を指定することにより番号固定されたＬＡＮ回線を組み合わせて擬似専用線に形成することができる。
【００３０】
しかし、ＬＡＮ３０で受け取った宛先ＩＰアドレスがＰＡＢＸ１０Ｂのものでない場合、この着信先ＰＡＢＸでは、取得されたＩＤ２に対応する回線番号が取得できないので擬似専用線が確立できず、その着信は拒否されて通信できない。
【００３１】
このような構成を採用したので、ＩＤを指定することによりＬＡＮ回線を固定接続して擬似専用線に形成できるだけでなく、ＩＤの指定がない限りその擬似専用線は他から占有されることがない。このようにしてＰＡＢＸ間に設定された回線を専用線として確保することができる。
【実施例３】
【００３２】
本発明の実施例３について図３〜５を参照して説明する。
【００３３】
本発明における構内交換装置間の専用線形成について、上述したとは別の実施例３により図３〜５を参照して説明する。
【００３４】
図３は、上記図１におけるＬＡＮ３０に接続する二つのＰＡＢＸ１０Ｃ，１０Ｄ間における専用線構成の一形態を示す。
【００３５】
図示されるＰＡＢＸ１０Ｃ，１０Ｄは上記実施例として説明したＰＡＢＸ１０と基本的に同一である。図示される外線情報テーブルには、宛先ＩＰアドレスは省略されているが、専用線接続先ＰＡＢＸのＩＰアドレスが予め設定されているものとする。
【００３６】
ＰＡＢＸ１０Ｃの外線情報テーブル１５Ｃは外線のポート番号１〜４の部分のみを示している。外線のポート番号１〜４に、ＬＡＮ３０の回線番号５〜８それぞれが予め設定されている。また、回線番号５，６には同一ＩＤ４が複数のＩＤ４専用線として予め設定されている。更に、選択の際の優先順位として、回線番号５には発信順位１、着信順位２が、また回線番号６には発信順位２、着信順位１が、予め設定されている。一方、回線番号７，８には同一ＩＤ５が複数のＩＤ５専用線として予め設定されている。更に、選択の際の優先順位として、回線番号７には、発信順位１、着信順位２が、また回線番号８には発信順位２、着信順位１が、予め設定されている。
【００３７】
ＰＡＢＸ１０Ｄの外線情報テーブル１５Ｄも外線のポート番号１〜４の部分のみを示している。外線のポート番号１〜４に、ＬＡＮ３０の回線番号９〜１２それぞれが予め設定されている。また、回線番号９，１０には同一ＩＤ４が複数のＩＤ４専用線として予め設定されている。更に、回線番号９には発信順位１、着信順位２が、また回線番号１０には発信順位２、着信順位１が、予め設定されている。一方、回線番号１１，１２には同一ＩＤ５が複数のＩＤ５専用線として予め設定されている。更に、選択の際の優先順位として、回線番号１１には、発信順位１、着信順位２が、また回線番号１２には発信順位２、着信順位１が、予め設定されている。
【００３８】
例えば、ＰＡＢＸ１０ＣがＩＤ４専用線を用いてＰＡＢＸ１０Ｄに通信しようとする場合、ＰＡＢＸ１０Ｃは、発呼の際に外線情報テーブル１５ＣのＩＤ４と発信順位１とから回線番号５を選択し、回線番号５のＬＡＮ回線を用いて、ＬＡＮ３０にＰＡＢＸ１０Ｄの宛先ＩＰアドレスとＩＤ４とを含む発呼情報を送信する。ＬＡＮ３０では、宛先ＩＰアドレスに基づいてＰＡＢＸ１０Ｄに発呼情報を送る。従って、ＰＡＢＸ１０Ｄは、発呼情報からＩＤ４を取得するので、外線情報テーブル１５ＤのＩＤ４と着信順位１とから回線番号９を取り出し、回線番号９のＬＡＮ回線を選択して着信させる。このように、ＩＤ番号を指定することにより番号固定されたＬＡＮ回線を組み合わせて専用線に形成することができる。
【００３９】
このような構成では、順位１が使用中の場合には次の順位の空き回線を選択する。従って、発信順位と着信順位との設定を逆順序にすることにより、発着信による回線選択の衝突を低減することができる。
【００４０】
次に、図４に図３を併せ参照して、ＰＡＢＸ１０Ｃの発呼動作について説明する。
【００４１】
まず、ＰＡＢＸ１０Ｃは、内線端末からオフフックを受付けした際に発信音を送出（手順Ｓ１）し、宛先アドレスの到着を待合せ（手順Ｓ２のＮＯ）する。手順Ｓ２が「ＹＥＳ」で宛先としてＰＡＢＸ１０ＤのＩＰアドレスを受付けした際にＰＡＢＸ１０Ｃは、外線への発呼（（手順Ｓ３のＹＥＳ）と判断して外線情報テーブル１５Ｃを宛先ＩＰアドレスで検索し、回線番号５〜８を得る。次いで、ＰＡＢＸ１０Ｃは、回線番号５〜８から空き回線で発信優先順位最上位の一つ例えば回線番号８を選択（手順Ｓ４）し、再度、外線情報テーブル１５Ｃを検索して回線番号８からＩＤ５を取得（手順Ｓ５のＹＥＳ）する。ＰＡＢＸ１０Ｃは、取得したＩＤ５を宛先ＩＰアドレスと共に含めて発呼情報に作成し、回線番号８を指定してＬＡＮ３０へ発信（手順Ｓ６）する。以降、通信回線の確立の外線接続処理（手順Ｓ７）から、被呼者呼出し、応答により通信の実行と手順は進む。
【００４２】
上記手順Ｓ５が「ＮＯ」で外線情報テーブル１５ＣからＩＤが取得できなかった場合には、ＩＤなしの回線番号が選択され、ＩＤなしの発呼情報が作成され発信（手順Ｓ８）され、上記手順Ｓ７に動作は続く。この場合、ＰＡＢＸ１０Ｃでは、専用線ではなく一般の外線選択が行われる。また、上記手順Ｓ３が「ＮＯ」で外線への発呼でなかった場合には、所定の内線接続処理（手順Ｓ９）が実行される。
【００４３】
次に、図５に図３を併せ参照して、ＰＡＢＸ１０Ｄの着呼動作について説明する。
【００４４】
ＰＡＢＸ１０ＤはＬＡＮ３０から発呼情報と共に着呼を受付け（手順Ｓ１１）した際に発呼情報からＩＤ５を取得（手順Ｓ１２のＹＥＳ）する。ＰＡＢＸ１０Ｄは外線情報テーブル１５ＤにＩＤ５あり（手順Ｓ１３のＹＥＳ）を確認する。ＩＤ５が回線群の場合（手順Ｓ１４のＹＥＳ）にＰＡＢＸ１０Ｄは、ＩＤ５の回線番号１１，１２の空き回線の中から最優先の着信順位１である回線番号１１を選択（手順Ｓ１５）して回線番号１１のＬＡＮ回線への着信処理（手順Ｓ１６）を実行する。
【００４５】
上記手順Ｓ１２が「ＮＯ」で発呼情報からＩＤが取得できなかった場合には、外線選択が専用線ではないので、上記手順Ｓ７に進み、一般の外線選択により着信処理が実行される。また、上記手順Ｓ１３が「ＮＯ」で外線情報テーブル１５ＤにＩＤがなかった場合には、別のＰＡＢＸへの専用線指定または障害動作と判断し所定の着信拒否処理（手順Ｓ１７）が実行される。
【００４６】
本実施例では、それぞれが二つの回線を有する二つの回線群から構成されているが、規模の大きさは本願発明に無関係であり、ＰＡＢＸ間での回線及び回線群が多数ほど呼損は低減される。
【実施例４】
【００４７】
本発明の実施例４について図６を参照して説明する。
【００４８】
この実施例は、図示されていないＰＡＢＸ１０Ｅ，１０Ｆ，１０Ｇを相互接続する擬似専用線を説明するもので、外線情報テーブル１５Ｅ，１５Ｆ，１５Ｇそれぞれが図示されている。
【００４９】
ＰＡＢＸ１０Ｅ，１０Ｆ，１０Ｇは上記実施例として説明したＰＡＢＸ１０と基本的に同一である。図示される外線情報テーブル１５Ｅ，１５Ｆ，１５Ｇには、宛先ＩＰアドレスは省略されているが、専用線接続先ＰＡＢＸのＩＰアドレスが予め設定されているものとする。
【００５０】
ＰＡＢＸ１０Ｅの外線情報テーブル１５Ｅは外線のポート番号１〜４の部分のみを示している。外線のポート番号１〜４に、ＬＡＮ３０の回線番号５〜８それぞれが予め設定されている。また、回線番号５〜８にはＩＤ４〜７それぞれがＩＤ４〜７専用線として予め設定されている。同一ＩＤでは一つの回線のみが設定されているので、優先選択のための発信順位及び着信順位は共に「１」である。
【００５１】
ＰＡＢＸ１０Ｆの外線情報テーブル１５Ｆは外線のポート番号１〜４の部分のみを示している。外線のポート番号１〜４に、ＬＡＮ３０の回線番号９〜１２それぞれが予め設定されている。また、回線番号９，１０にはＩＤ４，５それぞれが、また回線番号１１，１２にはＩＤ８，９それぞれが、ＩＤ専用線として予め設定されている。同一ＩＤでは一つの回線のみが設定されているので、優先選択のための発信順位及び着信順位は共に「１」である。
【００５２】
ＰＡＢＸ１０Ｇの外線情報テーブル１５Ｇは外線のポート番号１〜４の部分のみを示している。外線のポート番号１〜４に、ＬＡＮ３０の回線番号１３〜１６それぞれが予め設定されている。また、回線番号１３〜１６にはＩＤ６〜９それぞれがＩＤ６〜９専用線として予め設定されている。同一ＩＤでは一つの回線のみが設定されているので、優先選択のための発信順位及び着信順位は共に「１」である。
【００５３】
従って、ＩＤ４は回線番号５，９を対にしてＩＤ４専用線を、またＩＤ５は回線番号６，１０を対にしてＩＤ５専用線を、それぞれＰＡＢＸ１０Ｅ，１０Ｆ間で構成する。ＩＤ６は回線番号７，１３を対にしてＩＤ６専用線を、また、ＩＤ７は回線番号８，１４を対にしてＩＤ７専用線を、それぞれＰＡＢＸ１０Ｅ，１０Ｇ間で構成する。ＩＤ８は回線番号１１，１５を対にしてＩＤ８専用線を、またＩＤ９は回線番号１２，１６を対にしてＩＤ９専用線を、それぞれＰＡＢＸ１０Ｆ，１０Ｇ間で構成する。
【００５４】
このように、複数のＰＡＢＸそれぞれの間でトラヒックに応じた数の擬似専用線を単体回線または回線群として設けることにより、最繁時でも擬似専用線を介した通信が可能なので、例えば、全ＰＡＢＸへの緊急通知が必要な場合、割り込みによる即時通信が可能である。
【００５５】
［その他の実施例］
上記実施例では専用線設定にＩＰアドレスを用いるため、内線端末が電話機の場合、ＰＡＢＸはゲートウェイとしてダイヤル番号とＩＰアドレスとの変換機能を必要とする。
【００５６】
また、上記実施例ではＬＡＮ／ＷＡＮなどのＩＰネットワークを対象に説明したが、ＰＳＴＮで使用されるＩＳＤＮの１次群インターフェースのように複数Ｂチャネルを外線にすることができる。この場合、上述したように、特定チャネルにＩＤ番号を付与して擬似専用線を構成する。この場合、宛先アドレスはダイヤル設定でよい。また、ＰＡＢＸは、ＩＰネットワークとＰＳＴＮとの回線を外線に混在させてもよい。
【００５７】
すなわち、有線／無線で独立リンクを直接接続して形成する専用線に代わり、例えばインターネットのようなグローバルなネットワークを介しても専用線と同等の通信路を擬似専用線として、遠隔地の構内交換装置間で形成することができる。
【００５８】
上記説明では構内交換装置をＰＡＢＸとしたが、ボタン電話装置でも同様な機能を含ませることが可能なことは勿論である。
【産業上の利用可能性】
【００５９】
本発明により、複数の構内交換装置が外線をネットワークと接続して一つの交換システムを構成する場合、外線それぞれに識別子を設定し、ある二つの構内交換装置間で同一識別子を有する回線を設定し指定することによって、着呼の際に発呼側から送られた識別子に基づく回線を通信に選択し使用することができる。
【００６０】
従って、本発明は、通信ネットワークを利用して通信する遠方の交換装置同士で、例えば緊急通信のために最低数の通信路を確保可能とするため、通信路を直接接続したいわゆる専用線が必要かつ不可欠な用途に適用できる。
【図面の簡単な説明】
【００６１】
【図１】本発明による構内交換装置の回線選択方式における実施の一形態を装置ブロック構成で示した説明図である。（実施例１）
【図２】本発明による構内交換装置の回線選択方式における実施の一形態を外線情報テーブルで示した説明図である。（実施例２）
【図３】本発明による構内交換装置の回線選択方式における実施の一形態を外線情報テーブルで示した説明図である。（実施例３）
【図４】図３におけるＰＡＢＸの回線選択方法における発呼手順の実施の一形態をフローチャートで示した説明図である。（実施例３）
【図５】図３におけるＰＡＢＸの回線選択方法における着呼手順の実施の一形態をフローチャートで示した説明図である。（実施例３）
【図６】本発明による構内交換装置の回線選択方式における実施の一形態を外線情報テーブルで示した説明図である。（実施例４）
【図７】従来の構内交換装置の回線選択方式における一例を装置ブロック構成で示した説明図である。
【符号の説明】
【００６２】
１０、１０Ｔ、１０Ａ〜１０Ｄ    ＰＡＢＸ（構内自動交換機、構内交換装置）
１１    内線ポート
１２    外線ポート
１３    ＳＷ（スイッチ）
１４    ＣＰＵ（制御手段）
１５、１５Ａ〜１５Ｇ    外線情報テーブル
２１    内線端末
２２    外線
３０    ＬＡＮ
【図１】
2006345226.tif 000003
【図２】
2006345226.tif 000004
【図３】
2006345226.tif 000005
【図４】
2006345226.tif 000006
【図５】
2006345226.tif 000007
【図６】
2006345226.tif 000008
【図７】
2006345226.tif 000009